(57)【要約】【課題】システムにおけるデバイスの数及び／又は複雑性を減少する一方で、対象物の表面を正確に測定するシステム及び方法を提供すること。【解決手段】システム及び方法は、移動可能な支持体上に支持された対象物と、対象物上に放射を送る光学システムと、貫通した開口を有する支持体と、支持体に結合されるセンサ・システムと、センサ・システム及び移動可能な支持体に結合された制御システムとを含む。センサ・システムは、対象物の表面を測定するために開口に対して配置され、且つ制御システムに測定信号を送り、制御システムは、開口を介して光学システムによって送られた光を受ける対象物の表面が、光学システムの焦点面にあることを確実にするように、移動可能な支持体によって受けられ且つ使用される制御信号を生成する。【選択図】図３
2007049165.tif 000002
【特許請求の範囲】
【請求項１】
貫通した開口を有する支持体と、
前記開口の第１の側で前記支持体に結合される第１の対のセンサと、
前記第１の対のセンサと前記開口との間で、前記開口の前記第１の側で前記支持体に結合される第１の組のセンサとを備えるシステムであって、
前記第１の組及び前記第１の対のセンサが、支持体デバイスの運動の軸線に沿って配置されるシステム。
【請求項２】
前記第１の対のセンサにおける第１及び第２のセンサは、前記第１の組のセンサと前記開口の中央長手方向軸との間の距離と同じ距離だけ離れて離間される請求項１に記載のシステム。
【請求項３】
前記開口の第２の反対の側で前記支持体に結合される第２の対のセンサと、
前記第２の対のセンサと前記開口との間で、前記開口の第２の側で前記支持体に結合される第２の組のセンサとをさらに備える請求項１に記載のシステム。
【請求項４】
前記第１の対のセンサにおける第１及び第２のセンサは、前記第１の組のセンサと前記開口の中央長手方向軸との間の距離と同じ距離だけ離れて離間され、
前記第２の対のセンサにおける第１及び第２のセンサは、前記第２の組のセンサと前記開口の前記長手方向軸との間の距離と同じ距離だけ離れて離間される請求項３に記載のシステム。
【請求項５】
前記第１の組のセンサは、基板の表面のトポグラフィを測定する請求項１に記載のシステム。
【請求項６】
前記開口のそれぞれ第３及び第４の側で前記支持体に結合された第３及び第４の対のセンサをさらに備える請求項１に記載のシステム。
【請求項７】
前記第１の組のセンサは、４個のセンサのアレイを備える請求項１に記載のシステム。
【請求項８】
前記第１の組及び第１の対のセンサは、容量センサを含む請求項１に記載のシステム。
【請求項９】
前記センサは、流体ゲージ・センサを含む請求項１に記載のシステム。
【請求項１０】
全ての前記センサから信号を受信し、且つそれらから制御信号を生成する制御システムと、
前記センサが結合される表面とは反対側の前記支持体の表面に結合され、且つパターン形成されたデバイスによって生成された放射のパターン形成されたビームを向ける光学システムと、
前記パターン形成されたビームを受けるように配置された対象物と、
前記パターン形成されたビームを受ける前記対象物の表面が、前記光学システムの焦点面に実質的に留まるように、少なくとも前記制御信号に基づき前記対象物を移動する移動可能な対象物支持体とをさらに備える請求項１に記載のシステム。
【請求項１１】
前記対象物は、投影システムのディスプレイ・スクリーンである請求項１０に記載のシステム。
【請求項１２】
前記対象物は、ウエハである請求項１０に記載のシステム。
【請求項１３】
前記対象物は、フラット・パネル・ディスプレイ基板である請求項１０に記載のシステム。
【請求項１４】
放射ビームを調整する照明源と、
前記ビームをパターン形成するパタン形成デバイスと、
基板を保持する基板ステージと、
貫通した開口を有する支持体と、
前記開口を通り前記基板のターゲット領域上に前記パターン形成されたビームを投影する、前記支持体の第１の表面に結合された投影システムと、
前記開口の第１の側の前記支持体の、前記第１の表面とは反対側である、第２の表面に結合された第１の対のセンサと、
前記第１の対のセンサと前記開口との間で、前記開口の第１の側で前記支持体の前記第２の表面に結合される第１の組のセンサと
前記センサから信号を受信し、且つそれらから制御信号を生成する制御システムとを備えるリソグラフィ装置であって、
前記センサは、支持体デバイスの運動の軸線に沿って配置され、
前記基板ステージは、前記パターン形成されたビームを受ける前記基板の表面が、前記投影システムの焦点面に実質的に留まるように、前記制御信号を受け且つ前記基板を移動させるリソグラフィ装置。
【請求項１５】
前記開口の第２の反対の側で前記支持体の第２の表面に結合される第２の対のセンサと、
前記第２の対のセンサと前記開口との間で、前記開口の第２の側で前記支持体の前記第２の表面に結合される第２の組のセンサとをさらに備える請求項１４に記載のリソグラフィ装置。
【請求項１６】
前記基板は、半導体ウエハである請求項１４に記載のリソグラフィ装置。
【請求項１７】
前記基板は、フラット・パネル・ディスプレイ基板である請求項１４に記載のリソグラフィ装置。
【請求項１８】
（ａ）開口の第１の側に配置された第１の対のセンサで、対象物の表面を測定するステップと、
（ｂ）前記第１の対のセンサと前記開口との間に配置された第１の組のセンサで、前記対象物の前記表面を測定するステップと、
（ｃ）前記測定するステップに基づき、前記対象物の前記表面の表面トポグラフィを決定するステップとを含む方法。
【請求項１９】
ステップ（ｃ）の前に、
前記開口の第２の側に配置された第２の対のセンサで、前記対象物の前記表面を測定するステップと、
前記第２の対のセンサと前記開口との間に配置された第２の組のセンサで、前記対象物の前記表面を測定するステップとをさらに含む請求項１８に記載の方法。
【請求項２０】
前記開口の中央長手方向軸から前記第１及び第２の組のセンサのそれぞれのセンサへの距離と同じ距離に、前記第１及び第２の対のセンサのそれぞれのセンサに第１及び第２のセンサを配置することをさらに含む請求項１９に記載の方法。
【請求項２１】
（ａ）放射ビームをパターン形成するステップと、
（ｂ）投影システムを使用して、基板のターゲット部分に開口を通して前記放射ビームを投影するステップと、
（ｃ）（ｉ）前記開口の第１の側に配置された第１の組のセンサで、前記基板の表面を測定するステップと、
（ｉｉ）前記第１の対のセンサと前記開口との間に配置された第１の組のセンサで、前記基板の前記表面を測定するステップと、
（ｉｉｉ）前記測定するステップに基づき前記基板の前記表面の表面トポグラフィを決定するステップを含む、前記基板のトポグラフィを測定するステップと、
（ｄ）前記基板の前記表面が、前記投影システムの焦点面に留まるように、前記基板の決定された表面トポグラフィに基づき前記基板を移動させるステップとを含むデバイス製造方法。
【請求項２２】
ステップ（ｃ）（ｉｉｉ）の前に、
前記開口の第２の側に配置された第２の対のセンサで、前記基板の前記表面を測定するステップと、
前記第２の対のセンサと前記開口との間に配置された第２の組のセンサで、前記基板の前記表面を測定するステップとをさらに含む請求項２１に記載の方法。
【請求項２３】
前記開口の中央長手方向軸から前記第１の組のセンサへの距離と同じ距離だけ離れて、前記第１の対のセンサに第１及び第２のセンサを配置するステップをさらに含む請求項２１に記載のデバイス製造方法。
【請求項２４】
請求項２１の方法によって製造されるフラット・パネル・ディスプレイ。
【請求項２５】
請求項２１の方法によって製造される集積回路。
【発明の詳細な説明】
【技術分野】
【０００１】
本発明は、リソグラフィ装置及びデバイス製造方法に関する。
【背景技術】
【０００２】
リソグラフィ装置は、基板又は基板の一部上に所望のパターンを与える機械である。リソグラフィ装置は、例えば、フラット・パネル・ディスプレイ（ＦＰＤ）、集積回路（ＩＣ）、及び微細な構造を含む他のデバイスの製造に使用されることができる。従来の装置において、マスク又はレチクルと呼ばれるパターン形成デバイスは、完全な複数層デバイスの個別層に対応する回路パターンを生成するために使用されることができ、このパターンは、基板上に提供される放射感受性材料（レジスト）の層上への像形成によって基板上に転写されることができる。
【０００３】
回路パターンの代わりに、パターン形成手段は、例えばカラー・フィルタ・パターン又はドットのマトリクスなどの他のパターンを生成するために使用されることができる。マスクの代わりに、パターン形成デバイスは、個別に制御可能な素子のアレイを備えるパターン形成アレイを備えることができる。パターンは、マスクに基づくシステムと比較して、そのようなシステムにおいてより迅速により安価に変更されることができる。
【０００４】
一般的な基板は、丸いシリコン・ウエハ又は矩形のガラス板であり得る。一般的なリソグラフィ画像形成システムは、基板の全面積を露光するためには不十分な領域を有する。この制限を解消するために、基板は、画像領域の下で走査されることができ、一方、マスク又はレチクルが、照明ビームによって同時に走査される。このように、パターンは、基板のより大きな面積に転写される。走査された露光領域が、基板の全ての幅及び長さを覆うなら、露光は、単一の走査で完了されることができる。そうでなければ、基板は、側方又は走査方向にステップ状に動かされ、基板全体が露光されるまで、露光プロセスが繰り返される。
【０００５】
代わりに、移動可能なレチクル又はマスクが、レジストで被覆された基板が走査されるにつれ、パターンが、ミラーを動かすことによって電子的に生成される、静止ミラー・アレイに置き換えられることができる。
【０００６】
基板を適切にパターン形成するために、レジストが、投影システムの焦点面にある必要性がある。これは、しばしば６つの自由度で基板ステージの移動を制御する複雑な複数軸のメトロロジ（ｍｅｔｒｏｌｏｇｙ）測定システムと、基板表面の位置を測定する別個のセンサとの組合せの使用を介して一般に達成される。基板面に対して鉛直方向における基板位置を測定するために使用されるメトロロジ構成部品は、高価であり、他のツール構成部品に必要な空間と干渉する容積を占めることがある。
【発明の開示】
【発明が解決しようとする課題】
【０００７】
したがって、必要とされるものは、システムにおけるデバイスの数及び／又は（ａｎｄ／ｏｒ）複雑性を減少する一方で、対象物の表面を正確に測定するシステム及び方法である。
【課題を解決するための手段】
【０００８】
本発明の一実施形態において、支持体と、第１の対のセンサと、第１の組のセンサとを備えるシステムが提供される。支持体は、それを貫通する開口を有する。第１の対のセンサは、開口の第１の側で支持体に結合される。第１の組のセンサは、第１の対のセンサと開口との間で、開口の第１の側で支持体に結合される。全てのセンサは、支持体デバイスの運動の軸線に沿って配置される。
【０００９】
本発明の他の実施形態は、照明源、パターニング・デバイス、例えば基板である対象物を保持する基板ステージ、投影システム、及び制御システムも備えるリソグラフィ装置における上記システムを含む。照明源は、放射ビームを調整する。パターニング・デバイスは、ビームをパターン形成する。投影システムは、基板の第１の表面に結合され、且つ開口を通り基板のターゲット領域上にパターン形成されたビームを投影する。全てのセンサは、第１の表面とは反対側である支持体の第２の表面に結合される。制御システムは、全てのセンサから信号を受信し、且つそれらから制御信号を生成する。全てのセンサは、支持体デバイスの軸方向移動に沿って配置される。基板ステージは、パターン形成されたビームを受ける基板の表面が、投影システムの焦点面に実質的に留まるように、制御信号を受け且つ基板を移動する。
【００１０】
本発明のさらなる実施形態は、以下のステップを含むデバイス製造方法を提供する。放射ビームをパターン形成するステップ。投影システムを使用して、基板のターゲット部分に開口を通して放射ビームを投影するステップ。基板のトポグラフィ（ｔｏｐｏｇｒａｐｈｙ）を測定するステップ。トポグラフィ測定プロセスは、開口の第１の側に配置された第１の対のセンサで、基板の表面を測定するステップと、第１の対のセンサと開口との間に配置された第１の組のセンサで、基板の表面を測定するステップと、測定するステップに基づき基板の表面の表面トポグラフィを決定するステップを含む。本方法はさらに、基板の表面が、投影システムの焦点面に留まるように、基板の決定された表面トポグラフィに基づき基板を移動するステップも含む。
【００１１】
本発明の他の実施形態において、第２の対のセンサ及び第２の組のセンサは、第１の対及び第１の組のセンサを含む側とは反対側の、開口の他方の側に結合されることができる。
【００１２】
本発明の他の実施形態において、トポグラフィ測定プロセスは、基板以外の対象物に及び／又はデバイス製造方法以外で実施されることができる。
【００１３】
本発明のさらなる実施形態、特徴、及び利点、並びに本発明の様々な実施例の構造及び動作は、添付の図面を参照して以下に詳細に記載される。
【００１４】
本明細書に組み込まれ且つ本明細書の一部を形成する添付の図面は、本発明の１つ以上の実施例を示し、本明細書の記載とともに、さらに本発明の原理を説明し且つ当業者が本発明を行い且つ使用することを可能にするように作用する。
【００１５】
本発明は、添付の図面を参照して以下に記載される。図面において、同様な参照符号は、同一又は機能的に類似する要素を示すことができる。さらに、参照符号の最も左側の数字は、参照符号が第１に現れる図面を識別することができる。
【実施例】
【００１６】
本発明の１つ以上の実施例は、移動可能な支持体上に支持される対象物と、対象物上にパターン形成された放射を伝える光学システムと、光学システムと貫通した開口を有する対象物との間に配置された支持体と、該支持体に結合された１つ以上の対及び１つ以上の組のセンサと、移動可能な支持体の移動を制御するシステムとを含む。開口を通って光学システムによって伝えられた光を受ける対象物の表面が光学システムの焦点面にあることを確実にするために、移動可能な支持体によって受けられ且つ使用される制御信号を制御システムが生成するように、全てのセンサは、対象物の表面を測定し且つ制御システムに測定信号を送るように開口に関して配置される。
【００１７】
特定の構成及び配置が議論されるが、これは、例示目的だけのために行われることを理解されるべきである。当業者は、他の構成及び配置が、本発明の精神及び範囲から逸脱することなく使用されることができることを理解する。本発明が、様々な他の応用で用いられることもできることが、当業者には明らかである。
【００１８】
図１は、本発明の一実施例によるリソグラフィ装置を概略的に示す。装置は、照明システムＩＬと、パターン形成デバイスＰＤと、基板又はウエハ・ステージＷＴと、投影システムＰＳとを備える。照明システム（照明器）ＩＬは、放射ビームＢ（例えばＵＶ放射）を調整するように構成される。
【００１９】
パターン形成デバイスＰＤ（例えば、レチクル又はマスク或いは個別に制御可能な要素のアレイ）は、放射ビームを変調する。一般に個別に制御可能な要素のアレイの位置は、投影システムＰＳに対して固定される。しかしながら、代わりに、それは所定のパラメータに従って個別に制御可能な要素のアレイを正確に位置決めるように構成されたポジショナに接続されることができる。
【００２０】
基板ステージＷＴは、基板（例えば、レジストで被覆された半導体又はフラット・パネル・ディスプレイ基板）Ｗを支持するように構成され、且つ所定のパラメータに従って基板を正確に位置決めるように構成されたポジショナＰＷに接続される。
【００２１】
投影システム（例えば、屈折投影レンズ・システム）ＰＳは、基板Ｗのターゲット部分Ｃ（例えば、１つ以上のダイを備える）上にパターン形成デバイスＰＤによって変調された放射ビームを投影するように構成される。
【００２２】
一例において、投影システムＰＳは、支持体１００に結合され、支持体１００は、以下により詳細に記載されるように、それに結合されるメトロロジ又はセンサ・システム１０２も有する。
【００２３】
照明システムは、放射を方向付け、成形し、又は制御するための、屈折、反射、磁気、電磁気、静電気、又は他のタイプの光学要素、或いはそれらの任意の組合せなどの様々なタイプの光学要素を含むことができる。
【００２４】
本明細書で使用される用語「パターン形成デバイス」又は「コントラスト・デバイス」は、基板のターゲット部分にパターンを形成するように、放射ビームの断面を変調するように使用されることができる任意のデバイスを参照するように広く解釈されるべきである。デバイスは、静的なパターン形成デバイス（例えば、マスク又はレチクル）又は動的な（例えば、プログラム可能な要素のアレイ）パターン形成デバイスのいずれかであることができる。簡潔さのために、ほとんどの記載は、静的なパターン形成デバイスに関するが、動的なパターン形成デバイスも、本発明の範囲から逸脱することなく使用され得ることを理解されたい。
【００２５】
例えば、パターンが移相フィーチャ又はいわゆるアシストフィーチャを含む場合、放射ビームに課されるパターンは、基板のターゲット部分に所望のパターンに必ずしも対応しないことに留意されたい。
【００２６】
一般に、基板のターゲット部分上に作られるパターンは、集積回路又はフラット・パネル・ディスプレイ（例えば、フラット・パネル・ディスプレイにおけるカラー・フィルタ層又はフラット・パネル・ディスプレイにおける薄膜トランジスタ層）など、ターゲット部分に作られるデバイス内の特定の機能層に対応する。そのようなパターン形成デバイスの例は、例えば、レチクル、プログラム可能なミラー・アレイ、レーザ・ダイオード・アレイ、発光ダイオード・アレイ、格子光バルブ、及びＬＣＤアレイを含む。
【００２７】
リソグラフィ装置は、１つ以上のパターン形成デバイスＰＤを備えることができる。そのような構成において、いくつかの又は全てのパターン形成デバイスＰＤは、少なくとも１つの共通照明システム（又は照明システムの一部）、レチクル又は個別に制御可能な要素のアレイのための共通支持構造、及び／又は共通投影システム（又は投影システムの一部）を有することができる。
【００２８】
図１に示される実施例などの一例において、基板Ｗは、任意にその周辺の部分に沿ってノッチ及び／又は平坦にされた縁部を有する、実質的に円形形状を有する。一例において、基板は、多角形形状、例えば矩形形状を有する。
【００２９】
基板が、実質的に円形形状を有する一例において、基板が、少なくとも２５ｍｍ、例えば、少なくとも５０ｍｍ、少なくとも７５ｍｍ、少なくとも１００ｍｍ、少なくとも１２５ｍｍ、少なくとも１５０ｍｍ、少なくとも１７５ｍｍ、少なくとも２００ｍｍ、少なくとも２５０ｍｍ、又は少なくとも３００ｍｍの直径を有する例を含む。一実施例において、基板は、多くとも５００ｍｍ、多くとも４００ｍｍ、多くとも３５０ｍｍ、多くとも３００ｍｍ、多くとも２５０ｍｍ、多くとも２００ｍｍ、多くとも１５０ｍｍ、多くとも１００ｍｍ、又は多くとも７５ｍｍの直径を有する。
【００３０】
基板が、多角形、例えば矩形である一例において、基板の少なくとも一辺、例えば少なくとも二辺、又は少なくとも三辺は、少なくとも５ｃｍ、例えば少なくとも２５ｃｍ、少なくとも５０ｃｍ、少なくとも１００ｃｍ、少なくとも１５０ｃｍ、少なくとも２００ｃｍ、又は少なくとも２５０ｃｍの長さを有する。
【００３１】
一例において、基板の少なくとも一辺は、多くとも１０００ｃｍ、例えば多くとも７５０ｃｍ、多くとも５００ｃｍ、多くとも３５０ｃｍ、多くとも２５０ｃｍ、多くとも１５０ｃｍ、又は多くとも７５ｃｍの長さを有する。
【００３２】
一例において、基板Ｗは、ウエハ、例えば半導体ウエハである。一例において、ウエハ材料は、Ｓｉ、ＳｉＧｅ、ＳｉＧｅＣ、ＳｉＣ、Ｇｅ、ＧａＡｓ、ＩｎＰ、及びＩｎＡｓからなるグループから選択される。一例において、ウエハは、ＩＩＩ／Ｖ化合物半導体ウエハである。一例において、ウエハは、シリコン・ウエハである。一例において、基板は、セラミック基板である。一例において、基板は、ガラス基板である。一例において、基板は、プラスチック基板である。一例において、基板は、透明（人間の肉眼に関して）である。一例において、基板は、着色されている。一例において、基板は、無色である。
【００３３】
基板の厚みは、変化し得るものであり、ある範囲まで、例えば基板材料及び／又は基板寸法に応じることができる。一例において、厚みは、少なくとも５０μｍ、例えば少なくとも１００μｍ、少なくとも２００μｍ、少なくとも３００μｍ、少なくとも４００μｍ、少なくとも５００μｍ、又は少なくとも６００μｍである。一例において、基板の厚みは、多くとも５０００μｍ、例えば多くとも３５００μｍ、多くとも２５００μｍ、多くとも１７５０μｍ、多くとも１２５０μｍ、多くとも１０００μｍ、多くとも８００μｍ、多くとも６００μｍ、多くとも５００μｍ、多くとも４００μｍ、又は多くとも３００μｍである。
【００３４】
本明細書で参照される基板は、露光の前又は後で、例えばトラック（一般に基板にレジストの層を塗布し、且つ露光されたレジストを現像するツール）、メトロロジ・ツール、及び／又は検査ツールで処理されることができる。一例において、レジスト層が、基板上に設けられる。
【００３５】
本明細書で使用される用語「投影システム」は、適切なように使用される露光放射、又は浸漬流体の使用又は真空の使用などの他の要因のために、屈折型、反射型、カタディオプトリック、磁気的、電磁気的、及び静電的な光学システム、並びにそれらの任意の組合せを含む任意のタイプの投影システムを包含するものとして広く解釈されるべきである。本明細書における用語「投影レンズ」の任意の使用は、より一般的な用語「投影システム」と同じ意味であると考えられることができる。
【００３６】
投影システムは、パターンが基板上に同位相で形成されるように、パターン形成デバイスＰＤ上のパターンを画像形成することができる。
【００３７】
代わりに、投影システムは、個別に制御可能な要素のアレイの要素がシャッタとして作用するための二次源を画像形成することができる。これに関して、投影システムは、例えば二次源を形成するために且つ基板上にスポットを画像形成するために、マイクロ・レンズ・アレイ（ＭＬＡとして知られる）又はフレネル・レンズ・アレイなどの焦点合わせ要素のアレイを備えることができる。一例において、焦点合わせ要素のアレイ（例えばＭＬＡ）は、少なくとも１０個の焦点合わせ要素、例えば少なくとも１００個の焦点合わせ要素、少なくとも１０００個の焦点合わせ要素、少なくとも１００００個の焦点合わせ要素、少なくとも１０００００個の焦点合わせ要素、又は少なくとも１００００００個の焦点合わせ要素を備える。一例において、パターン形成デバイス内の個別に制御可能な要素の数は、焦点合わせ要素のアレイにおける焦点合わせ要素の数以上である。一例において、焦点合わせ要素のアレイ内の１個以上（例えば、１０００個以上、大部分、又はそれぞれについて）の焦点合わせ要素は、個別に制御可能な要素のアレイ内の１個以上の個別に制御可能な要素、例えば３個以上、５個以上、１０個以上、２０個以上、２５個以上、３５個以上、又は５０個以上などの個別に制御可能な要素のアレイ内の２個以上の個別に制御可能な要素に光学的に結合されることができる。一例において、ＭＬＡは、例えば１つ以上のアクチュエータを使用して、少なくとも基板へ向かう方向及び基板から離れる方向に移動可能な（例えば、アクチュエータを使用して）である。ＭＬＡを基板へ向かって且つ基板から離れて移動できることが可能であることは、例えば、基板を移動する必要なく焦点を調整することを考慮に入れる。
【００３８】
本明細書において図１で示されるように、装置は、反射型（例えば、反射型パターン形成デバイスＰＤを用いる）である。代替例として、装置は、透過型（例えば、透過型パターン形成デバイスＰＤを用いる）であり得る。
【００３９】
リソグラフィ装置は、２つ（デュアル・ステージ）、又はより多くの基板テーブルを有するタイプであり得る。そのような「マルチ・ステージ」機械において、追加のテーブルが、並列に使用されることができ、又は予備ステップが、１つ以上のテーブルで実行されることができ、一方、１つ以上の他のテーブルは、露光のために使用される。
【００４０】
リソグラフィ装置は、また、基板の少なくとも一部が、投影システムと基板との間の空間を充填するように、例えば水などの比較的高い屈折率を有する「浸漬液」で覆われることができるタイプであり得る。浸漬液は、また、リソグラフィ装置における他の空間、例えば、パターン形成デバイスと投影システムとの間に適用されることができる。浸漬技術は、投影システムの開口数を増大するために従来技術で良く知られている。本明細書で使用される用語「浸漬」は、基板などの構造体が、液体内に浸けられなければならないことを意味するのではなく、むしろ液体が、露光の間に投影システムと基板との間に配置されることだけを意味する。
【００４１】
再び図１を参照すると、照明器ＩＬは、放射源ＳＯからの放射ビームを受ける。一例において、放射源は、少なくとも５ｎｍ、例えば少なくとも１０ｎｍ、少なくとも５０ｎｍ、少なくとも１００ｎｍ、少なくとも１５０ｎｍ、少なくとも１７５ｎｍ、少なくとも２００ｎｍ、少なくとも２５０ｎｍ、少なくとも２７５ｎｍ、少なくとも３００ｎｍ、少なくとも３２５ｎｍ、少なくとも３５０ｎｍ、又は少なくとも３６０ｎｍの波長を有する放射を提供する。一例において、放射源ＳＯによって提供される放射は、多くとも４５０ｎｍ、例えば多くとも４２５ｎｍ、多くとも３７５ｎｍ、多くとも３６０ｎｍ、多くとも３２５ｎｍ、多くとも２７５ｎｍ、多くとも２５０ｎｍ、多くとも２２５ｎｍ、多くとも２００ｎｍ、又は多くとも１７５ｎｍの波長を有する。一例において、放射は、４３６ｎｍ、４０５ｎｍ、３６５ｎｍ、３５５ｎｍ、２４８ｎｍ、１９３ｎｍ、１５７ｎｍ、及び／又は１２６ｎｍを含む波長を有する。一例において、放射は、ほぼ３６５ｎｍ又はほぼ３５５ｎｍの波長を含む。一例において、放射は、例えば、３６５、４０５、及び４３６ｎｍを含む広い帯域の波長を含む。３５５ｎｍのレーザ源が使用されることができる。放射源及びリソグラフィ装置は、例えば放射源がエキシマレーザであるとき、別の構成であることができる。そのような場合、放射源は、リソグラフィ装置の一部を形成するとは考えられず、放射ビームは、例えば適切な方向付けミラー及び／又はビーム・エキスパンダを含むビーム送出システムＢＤによって、放射源ＳＯから照明器ＩＬへ送られる。他の場合には、放射源は、例えば放射源が水銀ランプであるとき、リソグラフィ装置の一体部分であることができる。放射源ＳＯ及び照明器ＩＬは、必要であればビーム送出システムＢＤとともに、放射システムと呼ばれることができる。
【００４２】
照明器ＩＬは、放射ビームの角強度分布を調整する調整器ＡＤを含むことができる。一般に、照明器のひとみ面における強度分布の少なくとも外側及び／又は内側径方向範囲（一般に、それぞれσアウタ及びσインナと呼ばれる）は、調整されることができる。さらに、照明器ＩＬは、インテグレータＩＮ及びコンデンサＣＯなどの様々な他の構成部品を含むことができる。照明器は、その断面における所望の均一性及び強度分布を有するように、放射ビームを調整するために使用されることができる。照明器ＩＬ又はそれに関連付けられる追加の構成部品は、放射ビームを複数のサブ・ビームに分割するように構成されることもでき、複数のサブ・ビームは、それぞれ、個別に制御可能な要素のアレイの１つ又は複数の個別に制御可能な要素に関連付けられることができる。二次元回折格子は、例えば放射ビームをサブ・ビームに分割するために使用されることができる。本明細書の記載において、用語「放射のビーム」及び「放射ビーム」は、それに限定されずに、ビームがそのような複数の放射のサブ・ビームからなる状態を包含する。
【００４３】
放射ビームＢは、パターン形成デバイスＰＤ（例えば、レチクル又は個別に制御可能な要素のアレイ）に入射し、パターン形成デバイスによって変調される。パターン形成デバイスＰＤによって反射され、放射ビームＢは、基板Ｗのターゲット部分Ｃ上にビームの焦点を合わす投影システムＰＳを通過する。ポジショナＰＷ及び位置センサＩＦ２（例えば、干渉計デバイス、リニア・エンコーダ、又は容量センサなど）を用いて、基板テーブル又はステージＷＴは、例えば、放射ビームＢの経路において異なるターゲット部分Ｃに位置するように、正確に移動されることができる。使用される場合、レチクル又は個別に制御可能な要素のアレイのための位置決め手段は、例えば走査の間に、ビームＢの経路に対してパターン形成デバイスＰＤの位置を正確に調節するために使用されることができる。
【００４４】
一例において、基板ステージＷＴの移動は、図１には明示的には示されていない長ストローク・モジュール（粗い位置決め）及び短ストローク・モジュール（細かい位置決め）を用いて実現されることができる。一例において、装置は、基板ステージＷＴを移動するための少なくとも短ストローク・モジュールが無い。同様のシステムは、レチクル又は個別に制御可能な要素のアレイを位置決めるために使用されることもできる。投影ビームＢが、代わりに／追加して移動可能であることができ、一方、対象物テーブル及び／又はレチクル又は個別に制御可能な要素のアレイは、必要な相対移動を提供するために固定位置を有することができることを理解されたい。そのような構成は、装置のサイズを限定することを支援することができる。例えば、フラット・パネル・ディスプレイの製造に適用可能であることができるさらなる代替として、基板ステージＷＴ及び投影システムＰＳの位置が、固定されることができ、基板Ｗが、基板ステージＷＴに対して移動されるように構成されることができる。例えば、基板ステージＷＴは、実質的に一定速度でそれを横切って基板Ｗを走査するためのシステムを設けられることができる。
【００４５】
図１に示されるように、放射ビームＢは、放射が、最初にビーム・スプリッタによって反射され且つパターン形成デバイスＰＤに向けられるように構成されたビーム・スプリッタＢＳによって、パターン形成デバイスＰＤに向けられることができる。放射ビームＢは、また、ビーム・スプリッタを使用することなく、パターン形成デバイスに向けられ得ることを理解すべきである。一例において、放射ビームは、０°から９０°の間、例えば５°から８５°の間、１５°から７５°の間、２５°から６５°の間、又は３５°から５５°の間（図１で示される実施例は、９０°の角度である）の角度でパターン形成デバイスに向けられる。パターン形成デバイスＰＤは、放射ビームＢを変調し、且つそれを、変調されたビームを投影システムＰＳへ送るビーム・スプリッタＢＳへ戻して反射する。しかしながら、代わりの構成は、放射ビームＢを、パターン形成デバイスＰＤにその後投影システムＰＳへ向けるために使用されることができることを理解されたい。透過パターン形成デバイスが使用されるなら、特に、図１に示されるような構成は、必要ではないことがある。
【００４６】
示された装置は、いくつかのモードで使用されることができる。
【００４７】
１．ステップ・モードにおいて、パターン形成デバイスＰＤ及び基板は、本質的に静止したままであり、一方、放射ビームに与えられた全体パターンは、１回でターゲット部分Ｃ上に投影される（すなわち、単一の静的露光）。基板ステージＷＴは、異なるターゲット部分Ｃが露光されることができるように、次にＸ及び／又はＹ方向にシフトされる。ステップ・モードにおいて、露光領域の最大サイズは、単一の静的露光で像形成されるターゲット部分Ｃのサイズを制限する。
【００４８】
２．走査モードにおいて、パターン形成デバイスＰＤ及び基板は、同期して走査され、一方、放射ビームに与えられたパターンは、ターゲット部分Ｃに投影される（すなわち、単一の動的露光）。パターン形成デバイスＰＤに対する基板の速度及び方向は、投影システムＰＳの拡大（縮小）及び像反転特性によって決定されることができる。走査モードにおいて、露光領域の最大サイズは、単一の動的露光におけるターゲット部分の幅（非走査方向における）を制限し、一方、走査移動の長さは、ターゲット部分の高さ（走査方向における）を決定する。
【００４９】
３．パルス・モードにおいて、パターン形成デバイスＰＤは、本質的に静止したままであり、全体パターンは、パルス状にされた放射源を使用して基板Ｗのターゲット部分Ｃ上に投影される。基板ステージＷＴは、投影ビームＢを、基板Ｗを横切るラインを走査させるように本質的に一定の速度で移動される。パターン形成デバイスＰＤ上のパターンは、放射システムのパルス間で必要なように更新され、パルスは、連続するターゲット部分Ｃが、基板Ｗ上の必要な位置で露光されるようにタイミングが決定される。したがって、投影ビームＢは、基板のストリップに関して完全なパターンを露光するために、基板Ｗを横切って走査することができる。プロセスは、基板Ｗ全体がライン毎に露光されるまで繰り返される。
【００５０】
４．連続走査モードにおいて、基板Ｗが、実質的に一定速度で放射の変調されたビームＢに対して走査され、且つパターン形成デバイスＰＤ上のパターンは、投影ビームＢが基板Ｗを横切って走査し且つそれを露光するように更新されることを除いて、本質的にパルス・モードと同一である。パターン形成デバイスＰＤ上のパターンの更新に同期された、実質的に一定の放射源又はパルス状にされた放射源が、使用されることができる。
【００５１】
５．図２のリソグラフィ装置を使用して実行されることができる画素グリッド画像形成モードにおいて、基板Ｗ上に形成されるパターンは、パターン形成デバイスＰＤ上に向けられたスポット生成器によって形成されたスポットのその後の露光によって実現される。露光されたスポットは、実質的に同一形状を有する。スポットは、基板Ｗ上で実質的にグリッドで焼付けされる。一例において、スポット・サイズは、焼付けされた画素グリッドのピッチより大きいが、露光スポット・グリッドよりはるかに小さい。焼付けされたスポットの強度を変えることによって、パターンが実現される。露光フラッシュの間において、スポットにわたる強度分布が変えられる。
【００５２】
上述の使用モード、又は全く異なる使用モードに対する組合せ及び／又は変形も、用いられることができる。
【００５３】
リソグラフィにおいて、パターンは、基板上のレジストの層に露光される。レジストは、次に現像される。その後、追加の処理ステップが、基板上で実行される。基板の各部分へのこれらその後の処理ステップの効果は、レジストの露光に応じる。特に、プロセスは、所定のドーズ閾値より高い放射ドーズを受けた基板の部分が、ドーズ閾値より低い放射ドーズを受けた基板の部分とは異なって応答するように調整される。例えばエッチング・プロセスにおいて、閾値より高い放射ドーズを受けた基板の領域は、現像されたレジストの層によってエッチングから保護される。しかしながら、ポスト露光現像において、閾値より低い放射ドーズを受けたレジストの部分は、取り除かれ、したがってこれらの領域は、エッチングから保護されない。したがって所望のパターンが、エッチングされることができる。
【００５４】
一例において、ミラー・アレイが静止されるときに、レチクルは、露光の間にウエハと同時に走査され、各レーザ・パルスによって露光される個別領域の組合せが、ウエハ上に所望の全体パターンを複製するように、生成されたパターンだけが、ウエハ移動に同期される。
【００５５】
一例において、光学システムは、複数の照明システム、複数の画像形成レンズ、及び複数のパターン生成器を含むことができる。複数の画像形成レンズ又はパターン生成器のいずれかが使用される場合において、焦点は、基板ステージを調整するよりむしろ、個別のパターン生成器又はレンズの位置を調整することによって維持されることができる。
【００５６】
一例において、基板ステージＷＴは、ウエハ表面の任意の局所的な領域が露光画像に整列されることを可能にするように、６つまでの自由度（ＤＯＦ）の調整能力を有することができる。基板ステージは、一般に、制御される軸の数と一致する基板ステージ制御システムに連続するフィードバックを提供するために、メトロロジ・センサを組み込む。一例において、干渉計又は特定の焦点参照プレートが、基板表面に垂直な方向（Ｚ軸）でのステージ移動に連続するフィードバックを提供するために使用される。しかしながら、本発明の実施例によれば、ギャップ・センサの特定のアレイ及び制御アルゴリズムは、そのようなメトロロジ・システムの必要性の代替となることができる。
【００５７】
図２は、本発明の一実施例によるセンサ・システム１０２の上面図を示す。以下の記載及び図面において、二方向の走査が仮定され、したがってセンサ・システム１０２は、２組のセンサ（例えば、他のサイズのアレイも使用されることができるが、１組当たり４個のセンサのアレイを有する）を備えることができ、２対のセンサが記載される。他の実施例において、１つのみの走査方向が使用されるとき、明示して示されていないが、１対及び１組のセンサが排除されることができる。
【００５８】
一例において、センサ（以下に記載される）は、移動の軸２０４に沿って支持体１００における開口２００（例えば露光開口）の周りに配置される。例えば、開口２００は、露光スロットであることができ、支持体１００は、投影光学装置（図示せず、図１を参照）を支持することができ、この例は、より詳細に以下に議論される。この例において、第１の対のセンサ２０６及び第２の対のセンサ２０８、並びに第１の組のセンサ２１０及び第２の組のセンサ２１２がある。一例において、各組のセンサ２１０及び２１２は、４個のセンサのアレイを含む。
【００５９】
一例において、第１の組のセンサ２１０及び第２の組のセンサ２１２は、トポロジ・センサとして機能し、第１のセンサ２１４及び２１８は、ルック・アヘッド（ｌｏｏｋ−ａｈｅａｄ）センサとして機能し、且つ第２のセンサ２１６及び２２０は、制御センサとして機能する。
【００６０】
一例において、全てのセンサは、容量センサ、空気又は流体ゲージ・センサ、又は近接センサ、或いは非常に小さい寸法（例えば、マイクロ又はナノメートルのオーダで）を測定する能力を有するセンサの任意の組合せであり得る。流体ゲージ・センサの例は、全て参照によって本明細書にその全体を組み込まれる、米国特許第４９５３３８８号及び米国特許第４５５０５９２号、並びに米国特許出願公開第２００４−０１１８１８３号、米国特許出願公開第２００４−０１１８１８４号、及び米国特許出願公開第２００５−００４４９６３号に見出されることができる。他の例において、本記載を読み且つ理解したときに当業者に明らかであるように、音響、光学、又は機械的センサも使用されることができる。
【００６１】
一例において、第１の対のセンサ２０６における第１のセンサ２１４及び第２のセンサ２１６は、距離Ｄだけ離れて離間され、且つ第２の対のセンサ２０８における第１のセンサ２１８及び第２のセンサ２２０も、距離Ｄだけ離れて離間される。この距離Ｄは、第１の組のセンサ２１０又は第２の組のセンサ２１２のいずれかが開口２００の中央長手方向軸２２２から離間される、距離Ｄに等しい（注記、要素は、同じスケールには描かれておらず、したがってＤは、各部分で同じ寸法ではない）。この構成を使用して、第１の対のセンサ２０６及び第２の対のセンサ２０８から得られた表面センサ測定値は、それが露光スリットに配置されるなら、センサが行う測定を正確にまねる（一致する）ように訂正される。
【００６２】
本発明の代わりの実施例において、２つの追加の対のセンサ２２４及び２２６は、従来のシステムで使用されたように、基板ステージのθｘ及び／又はθｙ傾斜が、物理的な背面センサ・システムなしに決定されることが可能なように支持体１００に結合されることができる。この実施例において、ある対のセンサ２２４は、Ｘ基板ステージ位置を測定するために使用されることができ、他の対のセンサ２２６は、Ｙ基板ステージ位置を測定するために使用されることができ、したがってウエハ・ステージのθｘ及びθｙ傾斜が決定されることを可能にする。
【００６３】
したがって、この実施例によれば、図２は、例示的なセンサ・システム１０２の底面図を示す。このセンサ・システムは、支持体プレート１００上に搭載されることができ、支持体プレート１００は、画像形成光学装置ＰＳに取り付けられ、又は他の例において、画像形成光学装置ＰＳ及び他の基板ステージ・メトロロジ要素（図示せず）の両方を搭載する共通の絶縁された支持体構造に取り付けられる。一例において、第１の組のセンサ２１０及び第２の組のセンサ２１２は、比較的「小さい面積」のギャップ・センサであり、且つ、露光ビームの中央から距離Ｄだけ、走査移動の方向に沿って離間された第１の組のセンサ２１０及び第２の組のセンサ２１２を有する開口２００の両側に支持体プレート１００に配置される。第１の組のセンサ２１０及び第２の組のセンサ２１２は、露光光の経路のすぐ外側に配置される。
【００６４】
露光走査の方向に応じて、組のセンサ２１０又は２１２の一方は、表面が露光される前の時間Ｔで表面トポグラフィを検出する。この方向において、表面を検知するための第１の組のセンサは、「リーディング・センサ」と呼ばれる。開口２００の反対側のセンサは、「トレーリング・センサ」と呼ばれ、走査方向が反転されるまで有用な情報を提供しない。時間Ｔは、距離Ｄが走査速度で分割されたものに等しい。
【００６５】
この例において、第１の組のセンサ２１０及び第２の組のセンサ２１２に加えて、第１の組のセンサ２１０及び第２の組のセンサ２１２におけるセンサに比べて、比較的「より大きな面積の」センサであることができる第１の対のセンサ２０６及び第２の対のセンサ２０８が存在することができる。他の例において、さらなる対のセンサ２２４及び２２６が存在することができ、各対におけるセンサが、同一の距離Ｄだけ離間される。各対のセンサ２０６及び２０８におけるあるセンサ２１６及び２２０は、より大きな面積の「制御センサ」と考慮されることができ、制御センサは、一般に、少なくとも１つの対が全てのときに基板を測定するようなパターンに配置される。
【００６６】
第１の組のセンサ２１０及び第２の組のセンサ２１２を有するような一例において、走査方向に応じて、最初にトポグラフィを測定する各第１の対のセンサ２０６及び第２の対のセンサ２０８における制御センサ２１６又は２２０が、リーディング・センサと呼ばれ、他の制御センサ２１６又は２２０は、トレーリング・センサと考えられる。しかしながら、第１の組のセンサ２１０及び第２の組のセンサ２１２とは異なり、リーディング及びトレーリング制御センサの両方は、有用な情報を提供する。例えば、トレーリング制御センサ２１６又は２２０は、基板ステージ・コントローラ（図示せず）に対してＺ軸に沿った連続する広帯域幅フィードバック情報を提供する。リーディング制御センサ２１６又は２２０は、基板表面トポグラフィに関するさらなる訂正を提供する。第１の組のセンサ２１０及び第２の組のセンサ２１２のより小さな面積に比べて比較的大きな面積の制御センサ２１６及び２２０は、Ｚ軸サーボにおけるノイズレベルを低減する。
【００６７】
図３は、本発明の一実施例による例示的システムにおいて第１及び第２の位置で、図２に関連して記載される同様のセンサ配置を有するシステム３３０の側面図を示す。この実施例において、システム３３０は、リソグラフィ環境に関して示される。システム３３０は、ベース・フレーム支持体３３２、サブ・ステージ移動構造体３３４、焦点合わせアクチュエータ３３６、基板ステージ３３８、基板３４０、及びコントローラ３４２を含む。ステージ３３８は、矢印Ａの方向（例えばＸ方向）に移動する。一例において、例えば本明細書の他の箇所で記載されるセンサなどのセンサから、焦点合わせアクチュエータ３３６は測定された信号３４５に基づきコントローラ３４２からの制御信号３４３を受信し、且つ制御信号３４３によって制御される。
【００６８】
概略が示される図３において、第２の組のセンサ２１２は、トポグラフィ・センサのリーディングの組であり、第１の組のセンサ２１０は、トポグラフィ・センサのトレーリングの組であり、且つセンサ２１８及び２１２は、それぞれリーディング及びトレーリング制御センサである。センサ２１４及び２１６は、ウエハ表面から離れているので、作動しない制御センサである。組み合わせられたセンサ・データ３４５は、コントローラ３４２に供給され、コントローラ３４２で、それは、基板表面を焦点内に維持し、一方ステージが矢印Ａの方向に走査する、Ｚ軸移動を制御するアクチュエータ３３６のための駆動信号３４３に処理される。リーディング・トポグラフィ・センサ信号と、リーディング及びトレーリングの活性制御センサの両方からの信号との組合せは、画像形成焦点面における露光点にウエハ表面を維持するため十分な情報を提供する。ウエハ・トポグラフィは、露光ビームの中心で焦点位置に誤差を導入しない。
【００６９】
上述のように、代替実施例において、追加の対の制御及びルック・アヘッド・センサは、基板ステージのθｘ及び／又はθｙ傾斜が、物理的な背面センサ・システムなしに決定されることが可能なように使用されることができる。
【００７０】
一般に、例えば、全て参照によって本明細書にその全体を組み込まれる、米国特許第６６３３０２０号、米国特許出願公開第２００２−０００１１８０号、及び米国特許出願公開第２００３−０２０１４０２号に記載されるなど従来のメトロロジ・システム（例えば、仮想ゲージング焦点合わせシステム）は、トポグラフィ測定センサを含む前面センサ・システム、及びＺ、θＸ、及びθＹを測定するために使用される焦点合わせ背面測定システムの両方を必要とする。しかしながら、図２及び図３を参照するリソグラフィ環境例における本発明の少なくとも上記環境により、前面センサ配置３３０は、基板表面３４４を連続して監視するために、トポグラフィ・センサ２１０及び２１２とともに作用する制御センサ２１６及び２２０並びにルック・アヘッド・センサ２１４及び２１８の対を有する。これは、従来のシステムで必要なように、前面及び背面センサを必要することなく、「仮想ゲージング」焦点合わせシステムと呼ばれる従来のより一般的な基板表面の単純化された単一の自由度（Ｚ位置又は焦点）バージョンを可能にする。一例において、第１の対のセンサ２０６及び第２の対のセンサ２０８が、１つの対が、常に測定表面３４４であるように戦略的に配置される。実際の物理的焦点合わせ背面は排除され、Ｚ焦点合わせサーボは、実時間フィードバックのために基板表面制御センサ２１６及び２２０を利用する。
【００７１】
一例において、一方向の走査だけが使用されるとき、一方側の開口２００だけがセンサ（例えば、２０６及び２１０、又は２０８及び２１２）を有し、両側は示されていない。
【００７２】
図４は、本発明の一実施例による動作流れ図４００を示す。例えば、動作流れ図４００は、基板が、６つの自由度（ＤＯＦ）ステージ、例えばステージ３３８（図３）によって支持される焦点合わせシステム及びプロセスを示す。上述の図３の要素数は、限定するものではなく、動作流れ図４００でどのデバイスが使用されることができるかを示すために使用される。
【００７３】
Ｚ軸に沿った基板３４０（例えば、レジストで被覆されたウエハ）の表面３４４は、例えば、容量ゲージ、空気ゲージ、又は他のデバイスであり得る第１の組のセンサ２１０及び第２の組のセンサ２１２によって測定される。
【００７４】
Ｘ、Ｙ、Ｒｘ、Ｒｙ、及びＲｚ自由度における基板ステージ位置は、面内センサ、及び例えば、基板表面３４４を参照しない干渉計ＩＦ（図１）である面外センサによって検知される。
【００７５】
一例において、干渉計ＩＦは、Ｘ、Ｙ、Ｒｘ、Ｒｙ、及びＲｚパラメータを含む連続するフィードバック信号４５０を提供する。
【００７６】
ステップ４５２において、信号は、ウエハ表面３４４を測定し且つ露光ビームに最も近いトレーリング制御センサ２１６又は２２０から選択される。これは、基板ステージ３３８の位置及び向きが、６ＤＯＦでサーボ制御されることを可能にするために、Ｚ軸に沿った連続するフィードバックを提供する。
【００７７】
一例において、メトロロジ信号の変換に基づくステージ位置が、サーボの安定性及び性能を確実にするために必要である。
【００７８】
ステップ４５４において、リーディング制御センサ２１６又は２２０からの低帯域幅信号が選択される。
【００７９】
ステップ４５６において、リーディング・トポグラフィ・センサ、例えば第１の組のセンサ２１０及び第２の組のセンサ２１２、のいずれかからの信号は、ステージを介して受信された情報、及び位置向きデータ４５８、及び／又は制御センサ格納データ４６０から、Ｘ／Ｙステージ位置に基づく各センサ位置でのウエハの理想的な位置及びＲｘ、Ｒｙ、及びＲｚステージ向きを減算することによって調整される。代替例において、データ４５８は、Ｘ及びＹウエハ・ステージ移動プロファイル４５９又はメイン・リソグラフィ・ツール・コントローラ４６１のいずれかから検索される。
【００８０】
加算器４６２は、ステージ向きとは無関係であるトポグラフィ調整信号４６８を生成するために、トポグラフィ・センサ２１０又は２１２の先行する一方からの信号４６６から、訂正されたリーディング制御センサ信号４６４を減算する。
【００８１】
ステップ４７０において、これらの訂正されたトポグラフィ測定値は、時間Ｔだけ遅延される（例えばデジタル的に遅延される）。
【００８２】
ステップ４７２において、例えば、最小二乗適合アルゴリズムを使用して、Ｚ訂正されたトポグラフィ・データは、露光開口の中心で計算されたＺ及びＲｘ訂正信号４７４へ低減される。この訂正信号４７４は、６つのＤＯＦコントローラ３４２で受信され、次に増幅器４７６を駆動するための制御信号３４３、及びステージ３３８を駆動するためのアクチュエータ３３６へ転送する。
【００８３】
例示的な動作
図５は、本発明の一実施例による、方法５００を示すフローチャートを示す。例えば、上記の１つ以上のシステムは、方法５００を実施するために使用されることができる。ステップ５０２において、対象物（例えば、基板、ウエハなど）の表面は、開口（例えば２００）の第１の側に配置された第１の対のセンサ（例えば、センサ２０６又は２０８）で測定される。ステップ５０４において、対象物の表面は、第１の対のセンサと開口との間に配置される第１の組のセンサ（例えばセンサ２１０又は２１２）で測定される。
【００８４】
一例において、追加の測定ステップが実行される。ステップ５０６において、対象物の表面は、開口の第２の側に配置された第２の対のセンサで測定される。ステップ５０８において、対象物の表面は、第２の対のセンサと開口との間に配置される第２の組のセンサで測定される。
【００８５】
両方の例において、ステップ５１０において、対象物の表面の表面トポグラフィは、測定ステップに基づく。
【００８６】
図６は、本発明の一実施例による、単一のステップとして示される方法５００を含む方法６００を示すフローチャートを示す。例えば、１つ以上の上記されたシステムは、方法６００を実施するために使用されることができる。例えば、方法６００は、１つ以上の上述のシステムを使用するデバイス製造方法であり得る。ステップ６０２において、放射ビームがパターン形成される。ステップ６０４において、パターン形成されたビームは、投影システムを使用して、基板のターゲット部分上に開口を介して投影される。次に方法５００は、基板のトポグラフィを測定するために実施される。ステップ６０６において、基板は、基板の表面が、投影システムの焦点面に留まるように、基板の決定された表面トポグラフィに基づき移動される。
【００８７】
結論
本発明の様々な実施例が、上述されたが、それら実施例は、例示だけによって示されるものであり、それらに限定するものでないことを理解すべきである。形態及び詳細における様々な変更は、本発明の精神及び範囲から逸脱することなく、それらに行われ得ることは当業者には明らかである。したがって、本発明の幅及び範囲は、任意の上述された例示的な実施例によって制限されるべきではなく、特許請求の範囲及びそれらの均等物に従ってのみ定義されるべきである。
【００８８】
概要及び要約書の部分ではなく詳細な記載の部分が、特許請求の範囲を解釈するために使用されることを意図されていることを理解すべきである。概要及び要約書の部分は１つ以上の実施例を示すことができ、しかし本発明者によって把握された本発明の全ての例示的な実施例ではなく、したがって、本発明及び添付の特許請求の範囲をいずれにも制限することを意図していない。
【図面の簡単な説明】
【００８９】
【図１】本発明の一実施例によるリソグラフィ装置を示す図である。
【図２】本発明の一実施例によるセンサ配置の上面図を示す図である。
【図３】本発明の一実施例による例示的なシステムにおける、第１及び第２の位置での例示的なシステムにおけるセンサ配置の側面図を示す図である。
【図４】本発明の一実施例による動作図である。
【図５】本発明の様々な実施例による方法を示すフローチャートである。
【図６】本発明の様々な実施例による方法を示すフローチャートである。
【符号の説明】
【００９０】
１００  支持体
１０２  メトロロジ又はセンサ・システム
２００  開口
２０４  移動の軸
２０６、２０８、２２４、２２６  センサの対
２１０、２１２  センサの組
２１４、２１８  第１のセンサ
２１６、２２０  第２のセンサ
２２２  中央長手方向軸
３３０  システム
３３２  ベース・フレーム支持体
３３４  サブ・ステージ移動構造体
３３６  焦点アクチュエータ
３３８  基板ステージ
３４０  基板
３４２  コントローラ
３４３  制御信号
３４４  基板表面
３４５  測定された信号
４００  流れ図
４５０  フィードバック信号
４５８  位置方向データ
４５９  ウエハ・ステージ移動プロファイル
４６１  メイン・リソグラフィ・ツール・コントローラ
４６２  加算器
４６４、４６６、４７４  信号
４７６  駆動増幅器
ＡＤ  調整器
Ｂ  放射ビーム
ＢＤ  ビーム送りシステム
Ｃ  ターゲット部分
ＣＯ  コンデンサ
ＩＬ  照明システム
ＰＤ  パターン形成デバイス
ＰＳ  投影システム
ＰＷ  ポジショナ
ＳＯ  放射源
Ｗ  基板
ＷＴ  基板又はウエハ・ステージ
【図１】
2007049165.tif 000003
【図２】
2007049165.tif 000004
【図３】
2007049165.tif 000005
【図４】
2007049165.tif 000006
【図５】
2007049165.tif 000007
【図６】
2007049165.tif 000008